(57)【要約】【課題】使用状況に応じてセンサ感度を簡単に調整することができ汎用性や制御性に優れた振動センサを備え、釣り状況に応じてセンサ感度を適正に調整して、釣り竿の微妙な動きに対応したアタリを精密に検出できる振動センサを備えた釣り竿を提供する。【解決手段】警報信号を発する振動警報部やその電源部を収容するケース本体１１内にその基端側が基端支持部１３を介して伸縮自在に支持されその先端部が振動により揺動する片持ち弾性体１２と、片持ち弾性体１２の先端と基端支持部との長さを設定する撓み調節機構１４と、ケース本体１１の内周面に配置され片持ち弾性体１２の先端部に設けられた揺動電極部１２ａと接触導通してセンサ回路を形成させる固定電極部１５と、を備えるように振動センサ１０を構成する。【選択図】  図１
2006067982.tif 000002
【特許請求の範囲】
【請求項１】
ケース本体（１１）と、
ケース本体（１１）に固着された基端支持部（１３）と、
前記基端支持部（１３）を介して伸縮自在に支持されその先端部（１２ｂ）が振動により揺動する片持ち弾性体（１２）と、
前記片持ち弾性体（１２）の先端部（１２ｂ）と前記基端支持部（１３）との長さを設定する撓み調節機構（１４）と、
前記ケース本体（１１）の内周面に配置され前記片持ち弾性体（１２）の先端部に設けられた揺動電極部（１２ａ）と接触導通してセンサ回路を形成する固定電極部（１５）と、
を備えたことを特徴とする振動センサ。
【請求項２】
前記固定電極部（１５）が前記ケース本体（１１）の内周面全周に設けられており、
前記揺動電極部（１２ａ）と接触導通してセンサ回路を形成するものであることを特徴とする請求項１に記載の振動センサ。
【請求項３】
請求項１又は２に記載の振動センサがその先端部に取り付けられ、
前記片持ち弾性体（１２）の揺動電極部（１２ａ）が前記固定電極部（１５）に接触導通してセンサ回路が形成されることによって、前記電源部により前記振動警報部を駆動させて光及び／又は音などからなる警報信号を周囲に発射させることを特徴とする振動センサを備えた釣り竿。
【請求項４】
前記ケース本体（１１）底部の長手方向にはその先端が略Ｌ字状にしかも対向して配置された一対のフック部（２２、２３）が設けられ、前記釣り竿の軸部に垂直な方向に前記ケース本体を回転させて前記フック部（２２、２３）を釣り竿の軸部に着脱自在に嵌合させるようにしたことを特徴とする請求項３に記載の振動センサを備えた釣り竿。
【発明の詳細な説明】
【技術分野】
【０００１】
本発明は、その検知感度を機械的に調整可能な振動センサに関し、また、振動センサが釣竿に取り付けられてその魚信を検知することのできる振動センサを備えた釣り竿に関する。
【背景技術】
【０００２】
従来から釣り竿などには、その振動を検知するための振動センサが取り付けられ、魚が餌に食いついたときのアタリを検知するものがあり、このような振動センサや振動センサを具備した釣り竿に関わる技術に関連して、例えば以下のようなものが知られている。
【０００３】
特許文献１には、釣り糸を介して竿本体に伝えられる振動を計測するセンサを備えると共に、所定の振動のデータを時間経過に従って保持する保持手段を備え、この保持手段に保持された振動のデータと前記センサからの信号のデータとの時間経過に従う比較により、夫々のパターンが所定の範囲内で一致した際に、この一致状態を報知する報知手段を備えた釣り竿が記載されている。
特許文献２には、釣糸を介して伝達されるアタリを警報音や音声あるいはランプ等による光に変換して認識させる機構および釣竿に着脱可能な構造を有する魚釣り用アタリ感知機が記載されている。
特許文献３には、電源セット、接触器、作動機構、顕示装置を備え、前記作動機構の弾性部の端部に設けらたおもりが揺動することで前記接触器のタッチパイプに接触して電気回路が形成され、顕示装置に魚アタリの情報が表示されるようにした魚アタリ感知器が開示されている。
【０００４】
【特許文献１】特開平５−２５３８５７号公報
【特許文献２】特開平６−１６９６７４号公報
【特許文献３】特開２００３−１０２３５５号公報
【発明の開示】
【発明が解決しようとする課題】
【０００５】
しかしながら、前記特許文献１〜３に記載の従来技術のものは以下のような課題があった。
特許文献１に記載の報知手段を備えた釣り竿では、このセンサから取得された振動データを解析して処理するためのマイクロコンピュータが必要となり、耐久性や経済性に欠ける上に、釣りの状況に応じてセンサ感度を適正に調整することが難しく誤動作などを生じ易いという問題があった。
特許文献２に記載の魚釣り用アタリ感知機では、釣竿先端とリール間の釣糸をアタリ感知機のつまみ部に挟み込み、魚が餌に触れたときのアタリをつまみ部に伝達して振動させ電気回路機構部のスイッチをＯＮ−ＯＦＦさせ、音や音声あるいは光等を発生させるものであり、釣り糸の繰り出しや引き戻しを検知するだけなので、微妙なアタリに伴う竿の動きに対応して魚アタリの感度をその状況に応じて簡単かつ精密に調整することが困難であり、検知性に欠けるという問題があった。
特許文献３に記載の魚アタリ感知器では、アタリを感知する作動機構の弾性部の揺動方向が一定方向に定まらないので、潮流の変化などを受けて変化する竿先の動きに対応した魚アタリを的確に取得できない場合があって応答性に欠け、魚信があるにも関わらずこれを逃してしまうという問題があった。
【０００６】
本発明は前記従来の課題を解決するためになされたもので、その使用状況に応じてセンサ感度を簡単に調整することができ、汎用性や制御性に優れた振動センサを提供するとともに、構造が簡単で取り扱い性や経済性に優れ、釣り状況に応じてセンサ感度を適正に調整して、釣り竿の微妙な動きに対応したアタリを精密に検出することができる振動センサを備えた釣り竿を提供することを目的とする。
【課題を解決するための手段】
【０００７】
本発明の請求項１に記載の振動センサは、ケース本体（１１）と、ケース本体（１１）に固着された基端支持部（１３）と、前記基端支持部（１３）を介して伸縮自在に支持されその先端部（１２ｂ）が振動により揺動する片持ち弾性体（１２）と、前記片持ち弾性体（１２）の先端部（１２ｂ）と前記基端支持部（１３）との長さを設定する撓み調節機構（１４）と、前記ケース本体（１１）の内周面に配置され前記片持ち弾性体（１２）の先端部に設けられた揺動電極部（１２ａ）と接触導通してセンサ回路を形成する固定電極部（１５）と、を備えたことを特徴とする。
【０００８】
請求項２に記載の振動センサは、請求項１において、前記固定電極部（１５）が前記ケース本体（１１）の内周面全周に設けられており、前記揺動電極部（１２ａ）と接触導通してセンサ回路を形成するものであることを特徴とする。
【０００９】
請求項３に記載の振動センサを備えた釣り竿は、請求項１又は２に記載の振動センサがその先端部に取り付けられ、前記片持ち弾性体（１２）の揺動電極部（１２ａ）が前記固定電極部（１５）に接触導通してセンサ回路が形成されることによって、前記電源部により前記振動警報部を駆動させて光及び／又は音などからなる警報信号を周囲に発射させることを特徴とする。
請求項４に記載の振動センサを備えた釣り竿は、請求項３において、前記ケース本体（１１）底部の長手方向にはその先端が略Ｌ字状にしかも対向して配置された一対のフック部（２２、２３）が設けられ、前記釣り竿の軸部に垂直な方向に前記ケース本体を回転させて前記フック部（２２、２３）を釣り竿の軸部に着脱自在に嵌合させるようにしたことを特徴とする。
【発明の効果】
【００１０】
本発明の振動センサによれば、ケース本体内に片持ち支持されて揺動する片持ち弾性体と、片持ち弾性体の先端と基端支持部との長さを設定する撓み調節機構と、片持ち弾性体の揺動電極部と接触導通してセンサ回路を形成させる固定電極部と、を備えるので、その使用状況に応じてセンサ感度を撓み調節機構を介して簡単に調整することができ、汎用性や制御性、経済性に優れた振動センサを提供することができる。
【００１１】
本発明の振動センサを備えた釣り竿によれば、撓み調節機構を有す振動センサがその先端部に取り付けられ、電源部により振動警報部を駆動させて光及び／又は音などからなる警報信号を周囲に発射させるので、構造が簡単で取り扱い性に優れるとともに、釣り状況に応じてセンサ感度を適正に調整して、釣り竿の微妙な動きに対応したアタリを精密に検出することができる。
【００１２】
また、本発明の振動センサを備えた釣り竿によれば、ケース本体底部の長手方向にはその先端が略Ｌ字状にしかも対向して配置された一対のフック部を設けることもできるので、釣り竿の軸部に垂直な方向に前記ケース本体を回転させるだけでフック部を釣り竿の軸部に着脱自在に嵌合させることが容易にであり、振動センサの釣り竿への装着性や設置後のアタリ信号取得の際の安定性に優れている。
【発明を実施するための最良の形態】
【００１３】
本発明に係る振動センサは、ＬＥＤ光やブザー音などにより周囲に警報信号を発する振動警報部やその警報部に電力を供給する電源部などを収容するケース本体と、ケース本体内にその基端側が基端支持部を介して伸縮自在に支持されその先端部が振動により揺動する矩形板状や棒状などの片持ち弾性体と、前記片持ち弾性体の先端と前記基端支持部との長さを設定して撓み量を調整するための撓み調節機構と、前記ケース本体の内周面に配置され前記片持ち弾性体の先端部に設けられた揺動電極部と接触導通することによりセンサ回路を形成させるための固定電極部と、を備えて構成される。
【００１４】
ケース本体としては、振動警報部やその警報部に電力を供給する電源部などを収容するため略矩形体状容器とすることが好適であり、ケース本体の素材としてはプラスチック材や金属材などが挙げられる。
振動警報部は、ＬＥＤやランプなどの発光部や、ブザー、スピーカなどの発音部などを有し、電源部から供給される電力により駆動され、規定の振動が振動センサに付加されたときに周囲に警報信号を発信するようになっている。
【００１５】
片持ち弾性体は、所定の弾力性を有する矩形板状の金属板や棒状のピアノ線などで構成され、その基端側がケース本体に配置された基端支持部を介して固定支持され、その先端部がケース本体に付加される外力によって自由揺動するようになっており、その先端部に設けられた揺動電極部がケース本体の内壁に配置された固定電極部に接触することでセンサ回路が形成されるようになっている。
なお、片持ち弾性体の先端部に予め所定質量のウェイトを固定しておき、片持ち弾性体の揺動特性や振動センサの揺動感度を設定することもできる。
【００１６】
撓み調節機構は、片持ち弾性体の先端と前記基端支持部間を伸縮させてその長さを所定値に設定させるためのねじ部及びねじ受け部、ねじロック部などを有し、この長さを調節することで、片持ち弾性体の固有振動数などを設定して、振動センサの使用目的に応じて適正なセンサ応答性が得られるようにしている。
【００１７】
固定電極部は、片持ち弾性体が揺動してその先端部に設けられた揺動電極と接触する略矩形板状や円筒形状の電極部分であって、銅やスチールなどの導電性金属板が好適に用いられる。固定電極部は、ケース本体の一カ所のみでなく複数箇所に設けることもできる。また、固定電極部を円筒形状としケース本体の内周面全周に設けることで、
片持ち弾性体の先端部のあらゆる方向への揺動に対し、その先端部に設けられた揺動電極部がケース本体の内壁に配置された固定電極部に接触させてセンサ回路を形成させることができる。
また、固定電極部の材質として導電性ゴムなども用いることもでき、この場合は、揺動電極との当りがソフトになるとともに、揺動電極と固定電極部との接触時間を長くして、センサ検出感度を良好にするという効果を奏する。
【００１８】
こうして、本発明の振動センサによれば、その使用状況に応じてセンサ感度を撓み調節機構を介して調整することができ、汎用性や制御性、経済性に優れた振動センサを提供することができる。
本発明の振動センサは、例えば次のような用途に用いることができる。
（１）窓に取り付けて用いる防犯用振動センサー
例えば、窓の開閉振動を感知する防犯用振動センサーが考えられる。この場合、トラックなどの振動の多い道路沿いの窓では、撓み調節機構を用いてセンサ感度を下げて設置することなど、設置場所や用途に応じて感度を調整することができる。
（２）引き出し・戸に取り付けて用いる防犯用振動センサー
開ける際の振動を感知して音を鳴らすなどの防犯センサーとして用いることができる。鍵をこじて開ける際の振動に反応し、開けられてから反応する従来のセンサーよりも時間的に早く反応する。
（３）小物に簡易的に取り付けられる防犯用簡易取付振動センサー
例えば、旅行かばんなどに簡易的に取付け、かばんのひったくりなどの急激な振動に対して反応するように、予め撓み調節機構を用いてセンサ感度を調節しておく。
（４）車の傷つけや車上荒らしなどの被害を防止するための車載振動センサー
本発明の簡易で安価なセンサーを用いることができる。
【００１９】
本発明の振動センサを備えた釣り竿は、片持ち弾性体の先端とその基端支持部との長さを調整するための撓み調節機構を備えた振動センサがその先端部に取り付けられ、片持ち弾性体の揺動電極部が前記固定電極部に接触導通してセンサ回路が形成されて、光及び／又は音などからなる警報信号を周囲に発射させるように構成される。
また、振動センサのケース本体底部の長手方向にはその先端が略Ｌ字状にしかも対向して配置された一対のフック部が設けられており、前記釣り竿の軸部に垂直な方向に前記ケース本体を回転させることによって前記フック部を釣り竿の軸部に着脱自在に嵌合させるようにしている。
【００２０】
釣り竿用の素材としては、竹や木といった天然素材やグラスファイバーやカーボンファイバーなどを適用できる。
釣り竿自体は弾力性に富む細長い棒状体であって、手元から先端に向かってその径が少しずつ細くなるようにしており、魚が餌に食いついて、かかった魚が急に方向転換したりすると、釣り糸に瞬間的に大きな力が加わる。このとき釣り糸が細いため、糸が切れてしまう恐れがあるが、弾力性のある釣り竿を使うことで、衝撃を釣り竿の弾力で吸収し、糸の切れを防ぐことができる。また、釣り竿が彎曲することで釣り糸がたるむのを防ぐようにしている。
【００２１】
本発明の振動センサを備えた釣り竿は、撓み調節機構を有す振動センサがその先端部に取り付けられ、電源部により振動警報部を駆動させて光及び／又は音などからなる警報信号を周囲に発射させるので、構造が簡単で取り扱い性に優れるとともに、釣り状況に応じてセンサ感度を適正に調整して、釣り竿の微妙な動きに対応したアタリを精密に検出することができる。さらに、振動センサのケース本体底部の長手方向にはその先端が略Ｌ字状にしかも対向して配置された一対のフック部が設けられるので、フック部を釣り竿の軸部に着脱自在に嵌合させることが容易にでき、振動センサの釣り竿への装着性にも優れている。
【００２２】
（実施の形態１）
以下、図面を参照しながら本発明の実施の形態に係る振動センサについて説明する。図１（ａ）は本発明の実施の形態１に係る振動センサの模式的正面断面図であり、図１（ｂ）はその模式的平面断面図である。
図１において、１０は釣り竿などに着脱自在に取り付けられる実施の形態１の振動センサであり、魚アタリなどの警報信号を発する振動警報部やそのバッテリなどの電源部を収容するためのケース本体１１と、ケース本体１１内にその基端側が基端支持部１３を介して伸縮自在に支持されその先端部が揺動する略矩形板状に形成された片持ち弾性体１２と、片持ち弾性体１２の先端と基端支持部１３との長さを設定するための撓み調節機構１４と、ケース本体１１の内周面に配置され片持ち弾性体１２の先端部に設けられた揺動電極部１２ａと接触導通してセンサ回路を形成させるための略板状に形成された固定電極部１５とを備えている。
【００２３】
片持ち弾性体１２は所定の弾性を有する金属材やプラスチック材などで略矩形状に形成され、外力を受けてその厚み方向に先端が揺動できるようになっている。
片持ち弾性体１２の基端側はケース本体１１に配置された基端支持部１３に支持されるとともに、撓み調節機構１４を構成して自由回転できる接続部１４ａを介してそのねじ軸１４ｂがケース本体１１のねじ受部１４ｃに螺合して伸縮自在に取り付けられ、ケース本体１１から外に突出して設けられたつまみ部１４ｄを回転させることで片持ち弾性体１２の先端と基端支持部１３との距離を所定値に調整することができる。
なお、片持ち弾性体１２の先端に設けられた揺動電極部１２ａはリード線や導電性の金属材自体を介して電気的に接続され、揺動電極部１２ａが固定電極部１５と接触して導通することでセンサ回路が形成され、図示しない振動警報部がバッテリなどの電源部によって駆動されるようにしている。
【００２４】
図２は実施の形態１の振動センサにおける動作状態の模式図である。図２（ａ）の動作状態Ａに示すように、ケース本体１１に所定強さの外力が付加されると、片持ち弾性体１２の先端がその厚み方向に揺動して、揺動電極部１２ａと固定電極部１５とが接触して警報部を駆動させる。
このとき、図２（ｂ）の動作状態Ｂに示すように、つまみ部１４ｄを回転させることで、片持ち弾性体１２先端と基端支持部１３との距離を伸縮させ、このセンサ検出感度を適正値に調整することができる。
すなわち、片持ち弾性体１２先端と基端支持部１３との距離を短くすることで、固有振動数を大きくして、センサ感度を弱めることができ、逆にこの距離を長く設定することでセンサ感度を高めることができる。
こうして、本実施の形態１の振動センサ１０では、撓み調節機構１４のつまみ部１４ｄを操作することによって、そのセンサ感度を簡単に調整することができる。
なお、図２（ｃ）に示すように、片持ち弾性体をピアノ線のような棒状体の揺動電極部とし、固定電極部をケース本体の上下に方向に設けたり円筒形状にすると、一定方向の振動だけでなく、あらゆる方向の振動に対して接触して警報部を駆動させることができる。
【００２５】
（実施の形態２）
図３は本発明の実施の形態２に係る振動センサを備えた釣り竿の模式的説明図であり、図４は振動センサを釣り竿に装着する装着方法の説明図である。
図３及び図４において、２０は実施の形態２の振動センサを備えた釣り竿であり、片持ち弾性体１２及び撓み調節機構１４と、警報部となるＬＥＤ２１ａと、電源部となる３ボルトの釣り浮き用電池２１ｂなどを収納するケース本体２１ｃを有した振動センサ２１と、振動センサ２１のケース本体２１ｃ底部の長手方向にその先端が対向して配置されたプラスチック材などからなる一対のフック部２２、２３を有する。
なお、以下においては前記実施の形態１と同様の機能を有するものについては、同一の符号を付してその説明を省略する。
振動センサ２１は、実施の形態１と同様に片持ち弾性体１２、撓み調節機構１４などを備え、その振動特性を撓み調節機構１４のつまみ部１４ｄを操作することで簡単に調整できる。
また、実施の形態２の振動センサ２１は、図４に示すように振動センサ２１のケース本体２１ｃを矢印方向にねじるようにして、そのフック部２２、２３を釣り竿本体２０ａの軸部に嵌合させることで確実かつ安定的に装着できるようにしている。
なお、この警報部としてはＬＥＤ光などによるもののほかに、スピーカ音やブザー音などで魚アタリに伴う竿先の振動を報知するようなものを適用することもでき、ユーザーは視覚によらずまたは視覚と併用する聴覚によって魚信を察知することもできる。
【００２６】
以上説明したように実施の形態２の振動センサ及び振動センサを備えた釣り竿２０は、撓み調節機構１４を有する振動センサ２１が釣り竿本体２０ａの先端部に取り付けられ、釣り浮き用電池２１ｂによりＬＥＤ２１ａを発光させて周囲に魚アタリの警報を発射することができる。
こうして、構造が簡単で取り扱い性に優れるとともに、釣り状況に応じてセンサ感度を撓み調節機構１４のつまみ部１４ｄにより適正に調整して、釣り竿本体２０ａの魚アタリに伴う微妙な動きを適正に検出することができる。
また、振動センサ２１のケース本体１１底部の長手方向にはその先端が略Ｌ字状にしかも対向して配置された一対のフック部２２、２３が設けられるので、フック部２２、２３を釣り竿本体２０ａの軸部に着脱自在に嵌合させることが容易にでき、振動センサ２１の釣り竿本体２０ａへの装着性に優れている。
なお、釣り竿本体に対して振動センサを回転できるように取り付けることにより、上下方向の振動だけでなく、横方向や斜め方向の振動に対してもアタリを感知することができる。
【図面の簡単な説明】
【００２７】
【図１】（ａ）は本発明の実施の形態１に係る振動センサの模式正面断面図であり、（ｂ）は同振動センサの模式平面断面図である。
【図２】（ａ）は同振動センサにおける動作状態Ａの模式図であり、（ｂ）は同振動センサにおける動作状態Ｂの模式図である。
【図３】本発明の実施の形態２に係る振動センサを備えた釣り竿の模式説明図である。
【図４】振動センサを釣り竿に装着する装着方法の説明図である。
【符号の説明】
【００２８】
１０  実施の形態１の振動センサ
１１  ケース本体
１２  片持ち弾性体
１２ａ  揺動電極部
１２ｂ  先端部
１３  基端支持部
１４  撓み調節機構
１４ａ  接続部
１４ｂ  ねじ軸
１４ｃ  ねじ受部
１４ｄ  つまみ部
１５  固定電極部
２０  実施の形態２の振動センサを備えた釣り竿
２０ａ  釣り竿本体
２１  振動センサ
２１ａ  ＬＥＤ
２１ｂ  釣り浮き用電池
２１ｃ  ケース本体
２２、２３  フック部
【図１】
2006067982.tif 000003
【図２】
2006067982.tif 000004
【図３】
2006067982.tif 000005
【図４】
2006067982.tif 000006